(57)【要約】【課題】  治具本体に係止片を上下・左右・回転等の移動を行うことができるため、パンチリテーナーの形状（大きさ）に関係なく、適合する位置を設定できる。また、長孔状の貫通孔を穿設することにより、左右に移動できることにより、多様なノック孔（位置決め穴）に対応でき、確実・簡単・容易に各種回り止めツバ付パンチを挿入（取付）することができるパンチリテーナー用パンチ挿入治具を提供する。【解決手段】  パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を上下移動可能に設けてなるべく垂直支持部を設けてなることを特徴とするパンチリテーナー用パンチ挿入治具。【選択図】図１
2008049394.tif 000002
【特許請求の範囲】
【請求項１】
パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を上下移動可能に設けてなるべく垂直支持部を設けてなることを特徴とするパンチリテーナー用パンチ挿入治具。
【請求項２】
パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を左右移動に設けるべく、水平支持部を設けてなることを特徴とするパンチリテーナー用パンチ挿入治具。
【請求項３】
パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を回転させてなるべく、回転支持部を設けてなることを特徴とするパンチリテーナー用パンチ挿入治具。
【請求項４】
係止片を、着脱自在に形成してなることを特徴とする請求項１、２又は３記載のパンチリテーナー用パンチ挿入治具。
【請求項５】
治具本体に、パンチリテーナーに穿設してあるノック孔に対応する長孔状の貫通孔を穿設し、固定ピンを貫通孔及びノック孔に挿入してパンチリテーナーに固着してなることを特徴とする請求項１、２、３又は４記載のパンチリテーナー用パンチ挿入治具。
【請求項６】
治具本体を磁化してなることを特徴とする請求項１、２、３、４又は５記載のパンチリテーナー用パンチ挿入治具。
【発明の詳細な説明】
【技術分野】
【０００１】  本発明は、各種回り止めツバ付パンチを各種パンチリテーナーのパンチ挿入孔に簡単・容易・確実に挿入することのできるパンチリテーナー用パンチ挿入治具に関するものである。
【背景技術】
【０００２】  従来の技術として、弊社が以前出願してなるパンチリテーナーに穿設したパンチ挿入孔の回り止めツバ溝に、回り止めツバ付パンチの回り止めツバを挿入すべく、パンチリテーナーの上面に着脱自在に取り付ける治具本体の垂直状の挿入面と回り止めツバ溝の係止面とが同一面あるいは同一軸線上に形成してなり、回り止めツバ溝の係止面に治具本体を係止すべく係止片を設けてなるものがある。（特許文献１参照）
【特許文献１】  特開２０００−１５８０６０号公報
【発明の開示】
【発明が解決しようとする課題】
【０００３】  上記従来技術は、公報内の図１・図２にもあるように、基台（２ａ）の立板（２ａ１）の下端面側に係止片を穿設してなるものであり、図面からも自明であるように、一体に穿設してなるものである。【０００４】  上記従来例は、パンチリテーナーの形状（大きさ）が決まっている場合には、それ専用として使用でき、好評を得ている。
しかしながら、パンチリテーナーの形状（大きさ）はメーカーによって色々あり、その都度専用のパンチリテーナー用パンチ挿入治具を作り在庫するにはリスクがともない、兼用できるパンチリテーナー用パンチ挿入治具の開発が熱望されている。【０００５】  本発明は、このような従来の構成が有していた問題を解決しようとするものであり、治具本体に係止片を上下・左右・回転等の移動を行うことができるため、パンチリテーナーの形状（大きさ）に関係なく、適合する位置を設定できる。
また、長孔状の貫通孔を穿設することにより、左右に移動できることにより、多様なノック孔（位置決め穴）に対応でき、確実・簡単・容易に各種回り止めツバ付パンチを挿入（取付）することができるパンチリテーナー用パンチ挿入治具を提供することを目的とする。
【課題を解決するための手段】
【０００６】  本発明は、上記目的を達成するために、パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を上下移動可能に設けてなるべく垂直支持部を設けてなる。
また、パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を左右移動に設けるべく、水平支持部を設けてなる。
そして、パンチリテーナーに穿設したパンチ挿入孔の回り止めツバ溝に、回り止めツバ付パンチのツバを挿入するパンチリテーナー用パンチ挿入治具であって、回り止めツバ溝の係止面に治具本体を係止する係止片を回転させてなるべく、水平支持部を設けてなる。
さらに、係止片を、着脱自在に形成してなる。
さらにまた、治具本体に、パンチリテーナーに穿設してあるノック孔に対応する長孔状の感通孔を穿設し、固定ピンを貫通孔及びノック孔に挿入してパンチリテーナーに固着してなる。
治具本体を磁化してなることを特徴とする。
【発明の効果】
【０００７】１）、係止片を上下移動可能に設けるべく、垂直支持部を設けることにより、パンチリテーナーのツバ溝の係止面の深さを調整でき、各種パンチリテーナーに対応できるものである。
２）、係止片を左右移動可能に設けるべく、水平支持部を設けることにより、小さなパンチリテーナーから大きなパンチリテーナーまで対応できるものである。
３）、係止片を回転すべく回転支持部を設けることにより、係止片を回転させ、係止片の位置を変更でき、各種パンチリテーナーに対応できる。
４）、係止片を着脱自在に設けることにより、大きさや形状の異なる係止片を設けることができ、特に特注で加工されるパンチリテーナーに有効である。
５）、治具本体に、ノック孔に対応する長孔状の貫通孔を穿設することにより、固定ピンを差し込み、係止片を取り外した状態でも（移動させた状態でもよい）、前後（左右）に移動させて使用できるものである。（磁化させることにより固着しやすくなる。）
【発明を実施するための最良の形態】
【０００８】  １は、パンチリテーナー用パンチ挿入治具である。
２は、治具本体で、正面Ｌ字形の基台２ａの立板２ａ１の表面に垂直状の挿入面２ａ１１を形成し、かつ、両側に後述する係止片を上下移動させるべく、縦垂直長孔による垂直支持部２ｂを設け、上端前方に斜状の案内面２ａ１２を形設すると共に、基台２ａの水平板２ａ２の上面に掴み板２ａ３を突設してある。
３は、パンチリテーナーにおける回り止めツバ溝の係止面に係止する係止片で、上記垂直支持部２ｂに対して、ボルトＢにて連結固定するもので、上下移動可能に設けてなるものである。
なお、係止片３において、通孔（図示せず）を設け、ボルトＢを反対側より挿入し、ナット（図示せず）で連結固定してもよい。【０００９】  パンチリテーナー用パンチ挿入治具２１は、上記と同様な基台２２の立板２２ａ１に、両側に係止片を左右移動させるべく、横水平長孔による水平支持部２２ｂを設けてなるもので、上記と同様な係止片２３を水平支持部２２ｂに対してボルトＢ１にて連結固定するもので、左右移動可能に設けてなるものである。【００１０】  つぎに、係止片の別の形態について説明する。
係止片３３は、縦長孔３３ａを設けてなるもので、ボルトＢ２及びナットＮにて連結固定するもので、上下に移動できるものである。
なお、ボルトＢ２とナットＮの位置を逆にしてもよい。【００１１】  係止片４３は、第１係止片４３ａと第２係止片４３ｂとより構成し、略Ｚ字型に形成してなるもので、回転軸Ｇを中心として回転させるもので、第１係止片４３ａと第２係止片４３ｂとで、係止位置を変更できるものである。
なお、係止片３３・３４は、上記各治具本体２・２２のどちらにも使用できるものである。【００１２】  つづいて、別の形態のパンチリテーナー用パンチ挿入治具について説明する。
パンチリテーナー用パンチ挿入治具３１は、上記パンチリテーナー用パンチ挿入治具１及びパンチリテーナー用パンチ挿入治具２１と異なり、係止片を設けていないタイプで、治具本体３２の水平板２ａ２に長孔状の（縦方向、横方向等色々考えられる）貫通孔３２ｃを設けてなるもので、貫通孔３２ｃに固定ピンを差し込み使用するものである。
なお、治具本体３２を磁化させるのも一考である。【００１３】  パンチリテーナーの一例について説明する。
パンチリテーナーＰは、おむすび型の本体ＨＮの先端部にパンチ挿入孔Ｐ１を穿設し、その外周接線上に係止面Ｋ１を形成した段差状の回り止めツバ溝Ｋを設けると共に、プレスに取り付けるためのノック孔Ｎ・Ｎ及び取付ボルトＴ・Ｔを穿設してある。
なお、係止面Ｋ１の高さは後述する回り止めツバ付パンチの回り止めツバの厚みと同等とする。つぎに、使用する回り止めツバ付パンチの一例を説明する。この回り止めツバ付パンチＭＰは、上記パンチ挿入孔Ｐ１に挿入し、回り止めツバ溝Ｋに係止されるもので、異形パンチ本体１Ｐの上部に回り止めツバ溝Ｋに当接する係止面ＭＰＫを形成した回り止めツバＭＴを設けてある。【００１４】  上記のパンチリテーナーＰ及び回り止めツバ付パンチＭＰを使用するわけであるが、その手順を説明する。パンチリテーナー用パンチ挿入治具１の場合、ボルトＢを緩め、係止片３・３を上下移動させ、係止面Ｋ１の深さに合わせた後、まず、指Ｕにてパンチリテーナー用パンチ挿入治具１の掴み板２ａ３を掴んでパンチリテーナーＰ上面に水平板２ａ２が当接するように置き、つづいて、パンチリテーナー用パンチ挿入治具１の係止片３・３の内面３ａをパンチリテーナーＰの係止面Ｋ１に当接させる。つぎに、上方より、回り止めツバ付パンチＭＰをパンチ挿入孔Ｐ１より挿入し、回り止めツバ付パンチＭＰの回り止めツバＭＴの係止面ＭＰＫをパンチリテーナー用パンチ挿入治具１の立板２ａ１の案内面２ａ１２に沿って下方（挿入面２ａ１１）へ移動させる。つづいて、プラスチックハンマー（真鍮ハンマー）Ｈ等を使用し、回り止めツバ付パンチＭＰの回り止めツバＭＴを叩き、回り止めツバ溝Ｋの係止面Ｋ１と回り止めツバＭＴの係止面ＭＰＫを係合させ、固定するものである。【００１５】  パンチリテーナー用パンチ挿入治具２１においては、ボルトＢ１を緩め、係止片２３・２３を左右に移動させ必要に応じて斜状に形成して使用することもできる。【００１６】  パンチリテーナー用パンチ挿入治具３１の使用例について述べる。
使用するパンチリテーナーＰａは、上面フラットタイプである。
パンチリテーナー用パンチ挿入治具３１をパンチリテーナーＰａの上面へ、挿入面２ａ１１と係止面Ｋ２を合わせるべく、固定ピンＫＰを貫通孔３２ｃより挿入し、ノック孔Ｎ１に入れ、前後に移動させる。（磁力により固着させる）
この状態で、上記と同様な回り止めツバ付パンチＭＰ１を係止面ＭＰＫ１を挿入面２ａ１１に沿ってセットし、ハンマー（図示せず）にて挿入し、係合固定するものである。
【図面の簡単な説明】
【００１７】  上記各実施例の治具本体やパンチリテーナー、回り止めツバ付パンチの形状は、上記形状に限定するものではない。
【図１】  本発明の第１実施例を示すパンチリテーナー用パンチ挿入治具の一部縦断正面図。
【図２】  本発明の第１実施例を示すパンチリテーナー用パンチ挿入治具の平面図。
【図３】  本発明の第１実施例を示すパンチリテーナー用パンチ挿入治具の左側面図。
【図４】  本発明の第２実施例を示すパンチリテーナー用パンチ挿入治具の一部縦断正面図。
【図５】  本発明の第２実施例を示すパンチリテーナー用パンチ挿入治具の平面図。
【図６】  本発明の第２実施例を示すパンチリテーナー用パンチ挿入治具の左側面図。
【図７】  本発明のパンチリテーナー用パンチ挿入治具の第２実施例の係止片の一部縦断正面図。
【図８】  本発明のパンチリテーナー用パンチ挿入治具の第２実施例の係止片の左側面図。
【図９】  本発明のパンチリテーナー用パンチ挿入治具の第３実施例の係止片の正面図。
【図１０】  本発明のパンチリテーナー用パンチ挿入治具の第３実施例の回転前の位置を示す左側面図。
【図１１】  本発明のパンチリテーナー用パンチ挿入治具の第３実施例の回転後の位置を示す左側面図。
【図１２】  本発明の第３実施例を示すパンチリテーナー用パンチ挿入治具の一部縦断正面図。
【図１３】  本発明の第３実施例を示すパンチリテーナー用パンチ挿入治具の平面図。
【図１４】  パンチリテーナーの一例を示す平面図。
【図１５】  パンチリテーナーの一例を示す正面図。
【図１６】  本発明の第１実施例のパンチリテーナー用パンチ挿入治具の第１使用状態図。
【図１７】  本発明の第１実施例のパンチリテーナー用パンチ挿入治具の第２使用状態図。
【図１８】  本発明の第１実施例のパンチリテーナー用パンチ挿入治具の第３使用状態図。
【図１９】  本発明の第３実施例のパンチリテーナー用パンチ挿入治具の第１使用状態図。
【図２０】  本発明の第３実施例のパンチリテーナー用パンチ挿入治具の第２使用状態図。
【符号の説明】
【００１８】１−−−−パンチリテーナー用パンチ挿入治具
２−−−−治具本体
２ａ−−−基台
２ａ１−−立板
２ａ１１−挿入面
２ａ１２−案内面
２ａ２−−水平板
２ａ３−−掴み板
２ｂ−−−支持部
３−−−−係止片
Ｂ−−−−ボルト
Ｎ−−−−ナット
Ｇ−−−−回転軸
Ｐ−−−−パンチリテーナー
Ｐ１−−−パンチ挿入孔
ＨＮ−−−本体
Ｋ１−−−係止面
Ｋ−−−−回り止めツバ溝
Ｎ−−−−ノック孔
【図１】
2008049394.tif 000003
【図２】
2008049394.tif 000004
【図３】
2008049394.tif 000005
【図４】
2008049394.tif 000006
【図５】
2008049394.tif 000007
【図６】
2008049394.tif 000008
【図７】
2008049394.tif 000009
【図８】
2008049394.tif 000010
【図９】
2008049394.tif 000011
【図１０】
2008049394.tif 000012
【図１１】
2008049394.tif 000013
【図１２】
2008049394.tif 000014
【図１３】
2008049394.tif 000015
【図１４】
2008049394.tif 000016
【図１５】
2008049394.tif 000017
【図１６】
2008049394.tif 000018
【図１７】
2008049394.tif 000019
【図１８】
2008049394.tif 000020
【図１９】
2008049394.tif 000021
【図２０】
2008049394.tif 000022